(57)【要約】【課題】暗所やカバンの中等でも容易に電源をオンすることができ、ユーザーの操作性の向上が期待できる携帯端末の提供を目的とする。【解決手段】携帯端末の外側面に設けられ、押下されると、閉状態にある第１の筐体および第２の筐体を開状態に遷移させるワンプッシュ開閉ボタン（またはスライドボタン）と、携帯端末の主電源がオフの場合、ボタンの押下に連動して携帯端末の主電源をオンにする制御部とを備えるように構成した。これにより、筐体の開閉のために使い慣れたボタンの操作で携帯端末の電源をオンにすることができるので、暗所やかばんの中などでも容易に電源をオンにすることができる。【選択図】図１
2012080430.tif 000002
【特許請求の範囲】
【請求項１】
第１の筺体と第２の筐体とが開閉自在に連結された電子機器であって、
前記電子機器の外側面に設けられ、押下されると、閉状態にある前記第１の筐体および前記第２の筐体を開状態に遷移させるボタンと、
前記電子機器の主電源がオフの場合、前記ボタンの押下に連動して前記電子機器の主電源をオンにする制御部とを備える
ことを特徴とする、電子機器。
【請求項２】
前記制御部は、前記ボタンが複数回押下された場合、または、前記ボタンが所定の時間以上押下され続けた場合に前記主電源をオンにする
ことを特徴とする、請求項１に記載の電子機器。
【請求項３】
前記電子機器は、更に、
前記電子機器が開状態にあるか否かを検知する開閉検知部を備え、
前記制御部は、前記電子機器が開状態であることが検知され、かつ、前記ボタンが押下された場合に前記主電源をオンにする
ことを特徴とする、請求項１に記載の電子機器。
【請求項４】
前記制御部は、
前記電子機器が開状態となったことが検知された後で前記ボタンが押下された場合に、前記ボタンが押下された場合に前記主電源をオンにする
ことを特徴とする、請求項３記載の電子機器。
【請求項５】
前記開閉検知部は、前記第１筐体及び前記第２筐体が完全な開状態となったか否かを検知可能であり、
前記制御部は、前記ボタンが押下された後、前記第１筐体及び前記第２筐体が完全な開状態になると、前記主電源をオンにする
ことを特徴とする、請求項３記載の電子機器。
【請求項６】
前記ボタンは、第１の深さで押下されると前記第１の筐体および前記第２の筐体を前記開状態へと移行させ、
前記スイッチは、前記ボタンが前記第１の深さよりも浅い深さで押下されたことが検知されると、前記主電源をオンにする
ことを特徴とする、請求項１記載の電子機器。
【請求項７】
前記制御部は、前記電子機器が閉状態から開状態へ移行した後、一定時間が経過した後は、前記ボタンが押下されても前記主電源がオフの状態を維持する
ことを特徴とする、請求項１から請求項６のいずれか１項に記載の電子機器。
【請求項８】
前記一定時間は、ユーザーによって任意の時間に設定可能である
ことを特徴とする、請求項７に記載の電子機器。
【請求項９】
前記電子機器は、更に、前記ボタンの一端に接点を備え、
前記制御部は、前記ボタンが押下されると前記接点を介して電池と導通し、前記導通によって前記電池からの電流を受信すると、前記主電源をオンにする
請求項１記載の電子機器。
【請求項１０】
第１の筺体と前記第２の筐体とが開閉自在に連結された電子機器の制御方法であって、
前記電子機器の外側面に設けられた所定のボタンが押下されると、閉状態にある前記第１の筐体および前記第２の筐体を開状態に遷移させるステップと、
前記電子機器の主電源がオフの場合、前記ボタンの押下に連動して前記電子機器の主電源をオンにするステップとを有する
ことを特徴とする、制御方法。
【発明の詳細な説明】
【技術分野】
【０００１】
本発明は、変形可能な電子機器、特に携帯端末に関する。
【背景技術】
【０００２】
近年の携帯端末では、暗所での操作に備え、キーをバックライト等で照らすものが知られている。しかし、バックライト等の発光は携帯端末の主電源がオンになっている場合に限られており、主電源自体がオフになっている場合には、キーを認識することができない。
【０００３】
そこで、携帯電話の主電源を、電源キー以外のキーで操作する技術が考案されている。このような技術の例として、特許文献１および特許文献２がある。特許文献１は外表面にボタンを配置し、簡単な構成で、電源をオフする際の操作性を向上させる携帯端末装置を提供している。また特許文献２は携帯電話を折りたたんだ状態でも、端末ケース上に配備された1或いは複数の操作キーを一定時間以上、押下し続けるとオン／オフ状態を切り替える機能を有する。
【先行技術文献】
【特許文献】
【０００４】
【特許文献１】特開２００５−１０９７１３号公報
【特許文献２】特開２００２−１５２３４６号公報
【特許文献３】特開平１１−４１３２８号公報
【発明の概要】
【発明が解決しようとする課題】
【０００５】
しかしながら、特許文献１および２は、いずれも普段使い慣れていないキーや、携帯電話の使用開始とあまり関係のないキーを操作する必要がある。そのため暗所やカバンの中などキーを視認しにくい状況では、どのキーを操作すれば主電源をオンにできるのか判断しにくく、不便だった。
【課題を解決するための手段】
【０００６】
従来の課題を解決するため、本発明の第１の態様に係る電子機器は、第１の筺体と第２の筐体とが開閉自在に連結された電子機器であって、電子機器の外側面に設けられ、押下されると、閉状態にある第１の筐体および第２の筐体を開状態に遷移させるボタンと、電子機器の主電源がオフの場合、ボタンの押下に連動して電子機器の主電源をオンにする制御部とを備えることを特徴とする。
【発明の効果】
【０００７】
この構成によれば、主電源をオンにするために用いられるボタンは、電子機器を開状態へ移行させるボタンであるため、開閉に使用し慣れているボタンの操作によって主電源をオンにできる。従って、キーを視認し難い状況であっても容易に電子機器の主電源をオンにすることができる。
【０００８】
また、本発明の第２の態様に係る電子機器は、制御部は、ボタンが複数回押下された場合、または、ボタンが所定の時間以上押下され続けた場合に主電源をオンにすることを特徴とする。
【０００９】
この構成によれば、人ごみまたはカバンの中など、偶然にボタンが押下されうる状況であっても、誤って主電源がオンにされてしまうことを防止することができる。
【００１０】
また、本発明の第３の態様に係る電子機器は、更に、電子機器が開状態にあるか否かを検知する開閉検知部を備え、制御部は、電子機器が開状態であることが検知され、かつ、ボタンが押下された場合に主電源をオンにすることを特徴とする。
【００１１】
この構成によれば、電子機器が開き、かつ、ボタンが押下された場合に主電源がオンになるため、かばんの中などで、かばん内の物によって誤ってボタンが押下された場合にまで主電源がオンになってしまうような誤動作を防止することができる。
【００１２】
また、本発明の第４の態様に係る電子機器は、更に、電子機器が開状態となったことが検知された後でボタンが押下された場合に、ボタンが押下された場合に主電源をオンにすることを特徴とする。
【００１３】
この構成によれば、電子機器を開状態にするためにボタンを押下した後、ボタンの周辺に残っている指を使ってそのまま電源オンの操作を行うことができるので、容易な操作で主電源をオンにすることができる。
【００１４】
また、本発明の第５の態様に係る電子機器は、開閉検知部は、第１筐体及び第２筐体が完全な開状態となったか否かを検知可能であり、制御部は、ボタンが押下された後、第１筐体及び第２筐体が完全な開状態になると、主電源をオンにすることを特徴とする。
【００１５】
この構成によれば、電子機器が開ききらない限り主電源はオンにならないので、かばん内等の狭い場所で誤って主電源がオンになってしまう誤動作をより確実に防止することができる。
【００１６】
また、本発明の第６の態様に係る電子機器は、ボタンは、第１の深さで押下されると第１の筐体および第２の筐体を開状態へと移行させ、スイッチは、ボタンが第１の深さよりも浅い深さで押下されたことが検知されると、主電源をオンにすることを特徴とする。
【００１７】
この構成によれば、電子機器を開かずとも主電源をオンにすることができる。
【００１８】
また、本発明の第７の態様に係る電子機器は、制御部は、電子機器が閉状態から開状態へ移行した後、一定時間が経過した後は、ボタンが押下されても主電源がオフの状態を維持することを特徴とする。
【００１９】
この構成によれば、電子機器を開いたまま、かばんに入れていた場合等に、誤って主電源がオンになってしまうことを防止することができる。
【００２０】
また、本発明の第８の態様に係る電子機器は、上述した一定時間は、ユーザーによって任意の時間に設定可能であることを特徴とする。
【００２１】
この構成によれば、ユーザーの実際の利用環境に即して、電子機器を開くボタンで主電源をオンにすることが可能な時間を設定することができる。
【００２２】
また、本発明の第９の態様に係る電子機器は、更に、ボタンの一端に接点を備え、制御部は、ボタンが押下されると接点を介して電池と導通し、導通によって電池からの電流を受信すると、主電源をオンにすることを特徴とする。
【００２３】
この構成によれば、ボタンが押下されたか否かを監視するための構成を常時起動しておく必要がなくなるので、主電源がオフの状態での省電力化を図ることができる。
【００２４】
また、本発明の第１０の態様に係る制御方法は、第１の筺体と第２の筐体とが開閉自在に連結された電子機器の制御方法であって、電子機器の外側面に設けられた所定のボタンが押下されると、閉状態にある第１の筐体および第２の筐体を開状態に遷移させるステップと、電子機器の主電源がオフの場合、ボタンの押下に連動して電子機器の主電源をオンにするステップとを有することを特徴とする。
【図面の簡単な説明】
【００２５】
【図１】本発明の実施の形態１における携帯端末の外観図
【図２】本発明の実施の形態１における携帯端末の機能ブロック図
【図３】本発明の実施の形態１の処理手順を示すフローチャート
【図４】本発明の実施の形態２の処理手順を示すフローチャート
【図５】本発明の実施の形態３の処理手順を示すフローチャート
【図６】本発明の実施の形態４の処理手順を示すフローチャート
【発明を実施するための形態】
【００２６】
以下に、本発明の実施の形態について、図面を参照しながら説明する。
【００２７】
（実施の形態１）
実施の形態１では、折りたたみ型の携帯端末を例に説明する。折りたたみ型の携帯端末として、近年では、上記特許文献３に記載されている様な、携帯端末の外面に設けられたボタンを押すことで、携帯端末を折りたたんだ状態（閉状態）から開いた状態（開状態）に遷移可能にする機構が知られている。このような機構によって、折りたたんだ状態の携帯端末を片手で容易に開くことができる。以下、このような、携帯端末を開く機能を持つボタンを「ワンプッシュ開閉ボタン」と呼ぶ。
【００２８】
図１は、本実施の形態に係る携帯端末1の外観図である。携帯端末１は、上筺体２と下筺体３がヒンジ機構５で連結されている。上筺体２の内側面には液晶ディスプレイまたは有機ＥＬディスプレイ等で構成されたメイン表示部６が設けられている。下筺体３の内側には、テンキー等の各種操作キー７が設けられている。
【００２９】
ヒンジ機構５の片側にはワンプッシュ開閉ボタン４が設けられ、このワンプッシュ開閉ボタン４が押されると、ヒンジ機構５のロックが解除され、ヒンジ機構５に内蔵されたバネにより、携帯端末が開状態となる。なお、図１のうち、ヒンジ機構５については、携帯端末１の外観図ではなく、ヒンジ機構５を覆う外面を透過して観測した図である。
【００３０】
ここで、本実施の形態に係る携帯端末１に係るヒンジ機構５についてより詳細に説明する。図１の右側に示した図は、ヒンジ機構５の内部構造を拡大した図である。この図に示すように、ヒンジ機構５には、ワンプッシュ開閉ボタン４の押下に伴って押下されるヒンジ部スイッチ８が設けられている。ヒンジ部スイッチ８は、上筐体２内に設けられた制御回路に接続されており、ヒンジ部スイッチ８が押下されると、操作キー７に含まれる電源キーが押下されずとも制御回路の制御によって携帯端末１の電源が投入される。
【００３１】
また、上筺体２の内部にはマグネット９が設けられ、下筺体３の内部には磁気センサー１０が設けられる。携帯端末１が閉状態となるとマグネット９と磁気センサー１０が近接するため、磁気センサー１０がマグネット９の磁力線を検知する。携帯端末１は磁気センサー１０で検知される磁力線の変化によって、携帯端末１が開状態であるのか閉状態であるのかを検知する。
【００３２】
続いて、携帯端末１の有する機能について説明する。図２は、携帯端末１の機能ブロック図である。なお、図２では、携帯端末１の機能のうち、本発明の本質に関わる部分以外は、記載を省略している。例えば、本実施の形態に係る携帯端末１は携帯電話機を想定しているので、少なくとも電話機能を実現する構成を備えているが、それらについては、図２には記載していない。
【００３３】
ヒンジ部スイッチ８は、上述したとおり、ワンプッシュ開閉ボタン４が押下されると連動して押下される。ヒンジ部スイッチ８が押下されると、その旨を示す信号が制御回路部１０１に送られる。
【００３４】
制御回路部１０１は、携帯端末１の主電源および携帯端末１の持つ各機能を制御する制御部であり、具来的にはＣＰＵ等から構成される。ヒンジ部スイッチ８が押下された旨を示す信号を受信した場合、制御回路部１０１は、携帯端末の主電源をオンにする制御を行う。
【００３５】
なお、ワンプッシュ開閉ボタン４は、筐体の外部に露出しているため、人ごみやかばんの中などで偶然、他の物体に衝突し、押下されてしまう可能性も高い。このような場合に誤って主電源がオンになってしまうことを防ぐためには、ヒンジ部スイッチ８が押下されただけで電源をオンにするのではなく、ワンプッシュ開閉ボタン４が所定の期間内に２度押された場合（２度押し、もしくは、ダブルクリックとも称する）または、ワンプッシュ開閉ボタン４が所定の時間以上連続して押された場合（長押し）に、主電源をオンにするなどとしても良い。この判定は、制御回路部１０１が、ヒンジ部スイッチ８が押下されたことによって送信される信号を２回受信したり、所定の時間以上連続して受信したりしたかを判断することによって実現することができる。また、ワンプッシュ開閉ボタン４が誤って押された場合の誤動作を考慮しないのであれば、ワンプッシュ開閉ボタン４が１度押された時点で（すなわち、制御回路部１０１が信号を１度受信した時点で）主電源をオンにするとしてもよい。また、２度押しに替えて、３度以上ワンプッシュ開閉ボタン４を押下した場合にのみ主電源がオンになるよう制御しても良いし、所定の時間内に２度押されない限り２度押しと判断しないようにしてもよい。
【００３６】
開閉検出部１０４は、マグネットと磁気センサーを上筐体２と下筐体３にそれぞれ設け、磁気センサーがマグネットの磁力線を検知すれば閉状態であると判断し、閉信号を制御回路部１０１に出力し、それ以外のときは開信号を制御回路部１０１に出力する。
【００３７】
続いて、図３を参照して、携帯端末１の動作について説明する。図３は携帯端末１の動作を示したフローチャートである。以下では、ワンプッシュ開閉ボタン４が２度押しもしくは長押しされた場合に携帯端末１の主電源がオンになる例を説明している。なお、制御回路部１０１での判断の内容が変わるだけであるので、他の条件で主電源をオンにする場合の例は省略する。
【００３８】
まず、携帯端末１のワンプッシュ開閉ボタン４が押下されると（ステップＳ００１）、それと連動してヒンジ部スイッチ８が押下される。続いて、制御回路部１０１は、ヒンジ部スイッチ８が押下された旨を示す信号が２度以上受信されたか否かを判断する。信号が２度以上受信された場合にはワンプッシュ開閉ボタン４が２度押下されたものと判断し（ステップＳ００２のＹｅｓ）、信号が１度未満しか受信されていない場合には長押しの判定に移る（ステップＳ００２のＮｏ）。長押しの判定では、ヒンジ部スイッチ８が押下された旨を示す信号が連続して所定の時間以上受信されたか否かを判断する。所定の時間が経過前に信号が途絶えた場合は、２度押しも長押しもされていないものと判断して次の信号が受信されるまで待つ（ステップＳ００３のＮｏ）。また、所定の時間以上ワンプッシュ開閉ボタン４が長押しされたものと判断する（ステップＳ００３のＹｅｓ）。続いて、制御回路部１０１は、２度押しもしくは長押しが合ったと判定した場合には、端末の主電源をオンにする（ステップＳ００４）。
【００３９】
このように、本実施の形態に係る携帯端末１では、ワンプッシュ開閉ボタン４を押下することにより、主電源をオンにすることができる。ワンプッシュ開閉ボタン４は、携帯端末１を開く際にユーザーが日頃から頻繁に使い慣れているボタンであるため、暗所やかばんの中などのキーを視認しにくい状況でも、容易に携帯端末の主電源をオンすることができる。
【００４０】
また、ワンプッシュ開閉ボタン４は、従来技術に記載されているような他の外側面のボタンとは異なり「携帯端末１を開状態にする」という機能を有する。したがって、ユーザーは、主電源をオンにした後、すぐに携帯端末１を使用することができる。また、ワンプッシュ開閉ボタン４を押下する操作は、（誤操作の場合を除き）ユーザーが携帯端末１の使用を開始しようとする場合に取る自然な動作である。したがって、本実施の形態に係る携帯端末１は、従来技術のようなどのボタンを押せば主電源がオンになるのか連想しにくいものと異なり、主電源をオンにするためのボタンを失念してしまったとしても操作しやすい構成となっている。
【００４１】
また、本実施の形態では、ワンプッシュ開閉ボタンを２度押し（ダブルクリック）、または長押しすることで主電源をオンすることが出来るようにしている。これにより、例えばカバンの中で物品が開閉ボタンに当たって、ユーザーの意思に反して端末の電源がオンになる事や、何気なくボタンを操作してしまって、意に反して電源がオンになることを防ぐことが出来る。なお、２度押し、長押しともに、他のキーを用いずとも、ワンプッシュ開閉ボタン４のみで行える操作である。ワンプッシュ開閉ボタン４を押下した直後は、通常、ユーザーの指はワンプッシュ開閉ボタン４にかかった状態のままであるため、ワンプッシュ開閉ボタン４のみで行える操作で主電源をオンにすることができるようにすることで、ワンプッシュ開閉ボタン４を押下した後に他のボタンを探す必要がなくなる。したがって、携帯端末１を視認しにくい状況でも、容易に携帯端末の主電源をオンにすることができる。
【００４２】
（実施の形態２）
続いて、本発明の実施の形態２について説明する。実施の形態２に係る携帯端末は、筐体の開閉状態も考慮して主電源をオンにすべきか否か野判断を行う点で実施の形態１と異なる。より具体的には、筐体が開いた状態でワンプッシュ開閉ボタンが押された場合に主電源をオンする。
【００４３】
本実施の形態に係る携帯端末１の外観および機能ブロック図は、実施の形態１とほぼ同様であるので省略する。実施の形態１と本実施の形態では、制御回路部１０１による制御の内容が異なる。すなわち、制御回路部１０１は、実施の形態１で示した主電源をオンにすべき条件に替えて、筐体が開いた状態でワンプッシュ開閉ボタンが押されたか否か（すなわち、「筐体が開いた」及び「その後、ワンプッシュ開閉ボタンが押された」の２条件を満たすか否か）を判断する。これらの２条件が満たされていれば携帯端末１の主電源をオンにし、いずれか満たされていなければ主電源をオンにする処理は行わない。
【００４４】
続いて、図４を参照して、携帯端末１の動作について説明する。図４は携帯端末１の動作を示したフローチャートである。
【００４５】
まず、携帯端末１の開閉検出部１０４が、携帯端末１の筐体が開状態であるか否かを判断する（ステップＳ００７）。筺体が開状態であると判断した場合（ステップＳ００７のＹｅｓ）、開閉検出部１０４は、開状態を示す信号を制御回路部１０１に出力する（ステップＳ００８）。また、開閉検出部１０４が開状態であると判断しなかった場合（ステップＳ００７のＮｏ）、開状態であるか否かを判断する処理が継続される。開閉検出部１０４から開状態を示す信号が出力された場合、制御回路部１０１は、更に、ワンプッシュ開閉ボタン４が押下されたか否かの判断を行う（ステップＳ００９）。なお、ワンプッシュ開閉ボタン４が押下されたか否かの判断は、ヒンジ部スイッチ８が押下された旨を示す信号が受信されたか否かによって行う。ワンプッシュ開閉ボタン４が押下されたと判断した場合（ステップＳ００９のＹｅｓ）、制御回路部１０１は、携帯端末１の主電源をオンにする（ステップＳ０１０）。また、ワンプッシュ開閉ボタン４が押下されなかったと判断した場合（ステップＳ００９のＮｏ），制御回路部１０１は、ワンプッシュ開閉ボタン４が押下されたか否かの判断を継続する。
【００４６】
なお、ステップＳ００９にて、ワンプッシュ開閉ボタン４が押下されないまま、開閉検出部１０４から、携帯端末１の筐体が閉じ状態となった旨の信号が届いた場合、制御回路部１０１は、開閉検出動作（ステップＳ００７）から処理をやり直す。
【００４７】
このように、本実施の形態に係る携帯端末１では、筐体が開いた状態でワンプッシュ開閉ボタンが押された場合に主電源をオンする。具体的には筐体が開いた後、更にワンプッシュ開閉ボタンが押されると主電源をオンにするようにしている。
【００４８】
これにより、かばんの中などの狭い場所で、ワンプッシュ開閉ボタン４がかばん内の物等によって偶然押下された場合に、誤って電源がオンになってしまうことを防ぐことができる。すなわち、狭い場所では、筐体が十分に開ききらないので、上述した２条件のうち、「筐体が開いた」という条件が満たされない。したがって、ワンプッシュ開閉ボタン４の操作のみで主電源をオンにすべきか否かを判断する場合と比べて、狭い場所での誤動作をより確実に防止することができる。
【００４９】
なお、本実施の形態でも、携帯端末１の開閉は開閉検出部１０４にて自動的に判断されるため、ユーザーが主電源をオンにするために行わなくてはならない操作自体はワンプッシュ開閉ボタン４の操作のみである。したがって、実施の形態１と同様、携帯端末１のキーを視認しにくい状況でも容易に電源をオンにすることができる。
【００５０】
また、本実施の形態では、携帯端末１が開いた後に、ワンプッシュ開閉ボタン４を押下する必要があるが、このボタンは筐体を開く時に押したボタンなので、その場所に指が残っている可能性が高く、容易に操作することが可能である。
【００５１】
なお、主電源オフ中の筐体の開閉検出は、開閉検出部１０４等の筐体開閉用の構成のみを主電源のオン／オフに関わらず、常時電源オンにしておくこと等で可能である。
【００５２】
（実施の形態３）
続いて、本発明の実施の形態３について説明する。実施の形態３に係る携帯端末は、ワンプッシュ開閉ボタンを押下後、完全に開状態にならないと主電源がオンにならないように制御する点で、これまでの実施の形態に係る携帯端末と異なっている。
【００５３】
本実施の形態に係る携帯端末１の外観および機能ブロック図は、実施の形態１とほぼ同様であるので省略する。実施の形態１と本実施の形態では、制御回路部１０１による制御の内容が異なる。すなわち、制御回路部１０１は、実施の形態１で示した主電源をオンにすべき条件に替えて、「ワンプッシュ開閉ボタンが押された」「その後、筐体が完全に開いた」の２条件が満たされたか否かを判断する。これらの２条件が満たされていれば携帯端末１の主電源をオンにし、いずれか満たされていなければ主電源をオンにする処理は行わない。また、実施の形態１と本実施の形態では、開閉検知部１０４が送信可能な信号が異なる。本実施の形態の開閉検知部１０４は、携帯端末１の筐体が完全な開状態となったか否かを検知し、完全な開状態となった場合にその旨を示す信号を制御回路部１０１に送信する。ここで、「完全な開状態」とは、携帯端末１の筐体が、これ以上開けない状態にまで開いた状態のことを意味する。なお、完全な開状態となったか否かの通知は、開閉検知部１０４が実施の形態１等よりも、より細かく判断結果を送信するようにすることで実現される。例えば、開閉検知部１０４が、磁気センサーで検知される磁力線の変化によって開閉を判断する場合、ほとんど磁力線が検知できなくなれば、「完全に開いた」旨を示す信号を制御回路部１０１に送信すればよい。なお、本実施の形態の開閉検知部１０４は、実施の形態１および２で説明したものと同様の通常通りの開状態も検出するとしても良い。
【００５４】
続いて、図５を参照して、携帯端末１の動作について説明する。図５は携帯端末１の動作を示したフローチャートである。
【００５５】
まず、制御回路部１０１は、ワンプッシュ開閉ボタン４が押下されたか否かを判断する（ステップＳ０１３）。この判断は、実施の形態１および２と同様、ヒンジ部スイッチ８が押下された旨を示す信号が届いたか否かを確認することによって行う。制御回路部１０１は、ワンプッシュ開閉ボタン４が押下されなかったと判断した場合（ステップＳ０１３のＮｏ）、ワンプッシュ開閉ボタン４の押下の検知を継続する。また、ワンプッシュ開閉ボタン４が押下されたと判断した場合（ステップＳ０１３のＹｅｓ）、携帯端末１の筐体が完全な開状態となったか否かの判断を行う（ステップＳ０１４）。筐体が完全な開状態となったか否かの判断は、開閉検出部１０４から完全な開状態を示す信号が届いたか否かによって行う。筐体が完全な開状態となったと判定されなかった場合（ステップＳ０１５のＮｏ）、筐体が完全な開状態となったか否かの判定を継続する。また、筐体が完全な開状態となったと判定された場合（ステップＳ０１５のＹｅｓ）、更にワンプッシュ開閉ボタン４が押下されたか否かの判断を行う（ステップＳ０１６）。ワンプッシュ開閉ボタン４が押下されたか否かの判断は上述したものと同様である。ワンプッシュ開閉ボタン４が押下されたと判断した場合（ステップＳ０１６のＹｅｓ）、制御回路部１０１は、携帯端末１の主電源をオンにする（ステップＳ０１７）。また、ワンプッシュ開閉ボタン４が押下されていないと判断した場合（ステップＳ０１６のＮｏ）、制御回路部１０１は、ワンプッシュ開閉ボタン４が押下されたか否かの判断を継続する。
【００５６】
このように、本実施の形態に係る携帯端末１では、ワンプッシュ開閉ボタンを押下後、完全な開状態にならないと主電源がオンにならないようにしている。
【００５７】
これにより、かばんの中などの狭い場所で、ワンプッシュ開閉ボタン４がかばん内の物等によって偶然押下された場合に、誤って電源がオンになってしまうことを防ぐことができる。すなわち、狭い場所では、筐体が十分に開ききらないので、上述した２条件のうち、「筐体が完全に開いた」という条件が満たされない。したがって、ワンプッシュ開閉ボタン４の操作のみで主電源をオンにすべきか否かを判断する場合と比べて、狭い場所での誤動作をより確実に防止することができる。
【００５８】
なお、本実施の形態では、完全な開状態が検知された場合、更に、ワンプッシュ開閉ボタン４が押下されれば主電源をオンにするとしていたが、これに限られるものではない。ワンプッシュ開閉ボタン４が押下された後、完全な開状態が検知された時点で携帯端末１の主電源をオンにしてもよい。すなわち、ステップＳ０１５およびＳ０１６は省略しても構わない。このようにすることで、ユーザーは筐体を開くためにワンプッシュ開閉ボタンを１度押下するだけで、携帯端末１の主電源をオンにすることができる。
【００５９】
また、本実施の形態では、完全な開状態になった場合のみ、主電源をオンにするとしていたがこれに限られるものではない。現実的には、完全な開状態を正確に検知することは難しいため、判断基準を緩めても良い。例えば、端末が通常の開状態になったと検知されれば、また、通常の開状態よりも更に開いたと検知されれば、完全な開状態となった場合と同様の処理を行うとしてもよい。
【００６０】
（実施の形態４）
続いて、本発明の実施の形態４について説明する。実施の形態４に係る携帯端末は、一定時間内に携帯端末を閉じた状態から操作を行った場合のみ、先に述べた実施の形態１〜３の機能が働くという点で、これまでの実施の形態に係る携帯端末と異なっている。
【００６１】
本実施の形態に係る携帯端末１の外観および機能ブロック図は、実施の形態１〜３とほぼ同様であるので省略する。なお、上述の通り、一定時間内に端末を閉じた状態から操作が行われたか否かの判定が行われる点が、各実施の形態と異なる。
【００６２】
続いて、図６を参照して、本実施の形態に係る携帯端末１の動作について説明する。図６は携帯端末１の動作を示したフローチャートである。なお、図６は、実施の形態１における２度押しの場合の動作に基づいた動作を示している。他の動作及び実施の形態では、後述するステップＳ２３以降の動作がそれぞれに応じたものに変化する。
【００６３】
まず、携帯端末１の制御回路部１０１は、ワンプッシュ開閉ボタン４が押下されたか否かを判断する（ステップＳ０２１）。ワンプッシュ開閉ボタン４が押下されなかったと判断した場合（ステップＳ０２１のＮｏ）、制御回路部１０１は、ワンプッシュ開閉ボタン４が押下されたか否かの判断を継続する。また、ワンプッシュ開閉ボタン４が押下されたと判断した場合（ステップＳ０２１のＹｅｓ）、制御回路部１０１は、ワンプッシュ開閉ボタン４が押下されてからの時間の経過を計測し始める（ステップＳ０２２）。なお、時間の経過は、ソフトウェア的又はハードウェア的に実現されたタイマを用いることで計測することができる。また、このタイマを実現するための構成は、主電源がオフの状態でも少なくともこの時間計測が始まる時点では電源がオンにされるものとする。続いて、制御回路部１０１は、ワンプッシュ開閉ボタン４が押下されてから所定の時間（予定時間）内に、更にワンプッシュ開閉ボタン４が押下されたか否かを判断する（ステップＳ０２３）。所定の時間内にワンプッシュ開閉ボタン４が押下されなかったと判断した場合（ステップＳ０２３のＮｏ）、制御回路部１０１は、これまでの判断結果を消去して、電源オフ状態を維持する（ステップＳ０１９）。また、所定の時間内にワンプッシュ開閉ボタン４が押下された場合、制御回路部１０１は、携帯端末１の主電源をオンにする。
【００６４】
これにより、暗所やかばんの中などのキーを認識しにくい状況でも、容易に携帯端末の主電源をオンすることができる。それに加え、ユーザーに長時間、携帯端末１を操作する意図がない場合に、誤って主電源がオンになってしまうことを防止することができる。例えば、携帯端末を長時間開けっぱなしの状態でワンプッシュ開閉ボタンが押された場合に誤って電源が入ってしまうことを防ぐことができる。
【００６５】
（その他変形例）
上記の実施の形態１〜４では、ワンプッシュ開閉ボタンを押下した場合（および他の条件が満たされた場合）に携帯端末１の主電源がオンになるものとしたが、これに限られるものではない。ワンプッシュ開閉ボタンが、押下されてはいるものの、携帯端末１の筐体が開かれるほどの深さまでは押下されていない状態（半押し）でヒンジ部スイッチ８が押下されるものとしてもよい。具体的には、ワンプッシュ開閉ボタン４を２段押し構成とし、半押しでは電源オン機能、全押しでは筺体を開状態にするものとする。このようにすることで、筐体を開かずとも携帯端末１の主電源をオンにすることが可能となる。したがって、かばんの中などの携帯端末１が開いてしまうと邪魔になる状況であってもワンプッシュ開閉ボタンの押下によって主電源をオンにすることができる。
【００６６】
なお、携帯端末１をこのように構成しても、ワンプッシュ開閉ボタンを完全に押下する場合には、その過程で必ず半押しの状態が発生する。従って、実施の形態１〜４と同等の効果を得ることができる。
【００６７】
また、ワンプッシュ開閉ボタン４を半押しした場合のみ、上記の実施の形態１〜４の動作が行われるとしてもよい。すなわち、筐体が開かれる程度までワンプッシュ開閉ボタン４が押下された場合には、主電源はオフのままにするとしてもよい。これにより、ユーザーが携帯端末１を特に意味なく開閉している場合にまで主電源がオンにされてしまうことを防ぐことができる。
【００６８】
また、上記各実施形態および変形例では、携帯端末として折りたたみ式のものを挙げているが、携帯端末の外側面に露出したボタンを押下することで形状が変化する構造であれば、どのような構造であっても良い。例えばキーを配置した操作筺体に対して液晶表示パネルを配置した表示筺体を略水平方向に直線的に往復移動させるスライド型の携帯端末にも本発明を適用することが可能である。なお、このようなスライド型の携帯端末についても、外側面に設けられたボタンを押下すると携帯端末が伸張するものなどが知られている。したがって、スライド型の携帯端末における、携帯端末を伸張させるボタンを、上述した各実施の形態におけるワンプッシュ開閉ボタン４に替えて用いることで、スライド型の携帯端末でも上述した各実施の形態と同様の効果を得ることができる。
【００６９】
また、上記各実施形態および変形例では、開閉検知の手段としてマグネットと磁気センサーを用いているが、メカ的な検知手段であっても良い。例えば、一方の筺体の対向面に伸縮可能な突起物を形成し、筺体を閉じた状態では他方の筺体によって突起部が押し込まれた状態となり、筺体を開いたときは突起部が突出することで筺体の開状態を検知するようなメカスイッチであっても良い。
【００７０】
また、上記実施形態では、ワンプッシュ開閉ボタンを操作したときに携帯端末の主電源がオンになる構成としているが、このような動作を行うか否かをユーザーが選択できるようにしても良い。これには携帯端末のソフトウェアユーザーインターフェースで選択できるようにすることが出来るほか、筺体にメカ的なスイッチを設けて選択できるようにすることが出来る。
【００７１】
また、上記各実施形態では、ワンプッシュ開閉ボタン４の押下（および他の条件に合致する操作）があった場合に、制御回路部１０１が、携帯端末１の主電源をオンにしていた。この構成だと、制御回路部１０１によって複雑な条件を判定することができる反面、少なくとも制御回路部１０１を主電源がオフであっても起動させておく必要があるため消費電力が大きい。
【００７２】
そこで、例えば、ヒンジ部ボタン８に接点を設け、ヒンジ部ボタン８が押下されると、その接点を介して、バッテリーと、制御回路部１０１を起動させる信号を受信する端子とが導通するような構造にすることが考えられる。この場合、接点を介してバッテリーから届く電流によって制御回路部１０１を起動させることができるので、ワンプッシュ開閉ボタン４が押下されるまで制御回路部１０１の電源をオフにしておくことができる。なお、この場合、制御回路部１０１が起動すること自体が、ワンプッシュ開閉ボタン４が押下されたことを意味する。したがって、各実施の形態および変形例における、初回のワンプッシュ開閉ボタン４が押下されたか否かの判断を省略するとしても良い。
【００７３】
また、ワンプッシュ開閉ボタン４が一度でも押下された場合に携帯端末１の主電源をオンにするような単純な制御を行う場合には、より構造を簡略化することができる。例えば、ヒンジ部ボタン８に接点を設け、ヒンジ部ボタン８が押下された場合に、その接点を介して、バッテリーと、携帯端末１を起動させる信号（この場合は、電流）を受信する端子とが導通するような構成にすればよい。この構成によれば、制御回路部１０１を起動させる処理をも省略することができ、主電源がオフになっている間は、従来の携帯端末と同様にほとんど電流を消費しない。
【００７４】
また、上記各実施形態では、ワンプッシュ開閉ボタン（すなわち、機器を開くボタン）を例として説明し、筐体を開く場合の例を説明したが、これに限られるものではない。例えば、ワンプッシュ開閉ボタンを押下することにより筐体を閉じることが可能であれば、携帯端末が開いた状態でワンプッシュ開閉ボタンが押下された場合には、携帯端末の主電源をオフにするとしてもよい。これにより、携帯端末を閉じている間は主電源をオフにし、開いた場合には主電源をオンにすることができるので、携帯端末を使用しない場合における消費電力を抑えることができる。なお、ワンプッシュ開閉ボタンを押下することによって携帯端末を閉じる構成の例としては、例えば、ヒンジ部にモータを備えておき、ワンプッシュ開閉ボタンを押下することで、モータが駆動するようにしておけばよい。
【００７５】
また、上記各実施形態では、携帯端末を折りたたんだ状態を閉状態と、開いた状態を開状態と呼んでいるが、これに限られるものではない。例えば、一方の筐体に設けられた操作キー７の一部又は全部が他方の筐体によって覆われている状態を閉状態と、操作キー７の全部が露出している状態を開状態と呼んでもよい。特に、上述した各実施の形態は、操作キー７のうち電源キーが他の筐体に覆われており、触れることができない場合に有用である。ただし、電源キー自体が筐体の外側面に備えられていたり、閉状態で一部の操作キーが露出していたりする構成を排除するものではない。また、閉状態で他の筐体に覆われ、開状態で露出する部分に、操作キー７がなくともよい。例えば、操作キー７がなく、携帯端末のマイクもしくはレシーバのみが、閉状態で他の筐体に覆われたり、開状態で露出したりする構成であってもよい。
【００７６】
また、上記各実施形態では、携帯端末を例として説明したが、これに限られるものではない。例えば、携帯できない機器であっても、少なくとも筐体を開くボタン（ワンプッシュ開閉ボタンに相当）が備えられていれば本発明を適用することができる。
【００７７】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７８】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【００７９】
また、上記各実施形態の説明に用いた各機能ブロックの一部又は全部を集積化せずに構成しても構わない。
【００８０】
また、上記各実施の形態に用いた各機能ブロックもしくは動作は、ハード的に実現しても良いし、これらを実現するプログラムもしくはそのプログラムを記憶したプログラム記憶媒体を用いて実現しても良い。
【００８１】
また、上記各実施の形態および変形例の一部又は全部を組み合わせてもよい。
【産業上の利用可能性】
【００８２】
本発明によれば、暗所やカバンの中などキーを視認しにくい状況でも極めて容易に主電源をオンすることができるので、例えば折りたたみ式の携帯端末などに好適に利用される。
【符号の説明】
【００８３】
１    携帯端末
２    上筺体
３    下筺体
４    ワンプッシュ開閉ボタン
５    ヒンジ機構
６    メイン表示部
７    各種操作キー
８    ヒンジ部スイッチ
９    マグネット
１０    磁気センサー
１０１    制御回路部
１０４    開閉検出部
【図１】
2012080430.tif 000003
【図２】
2012080430.tif 000004
【図３】
2012080430.tif 000005
【図４】
2012080430.tif 000006
【図５】
2012080430.tif 000007
【図６】
2012080430.tif 000008